(57)【特許請求の範囲】
【請求項１】
所定の入賞口にパチンコ玉が入賞する毎に実行される大当たり抽選動作に当選したときに大当たりを発生すると共に、その大当たりの終了後から前記大当たり抽選動作の当選確率を高めた確率変動状態を発生し、前記所定の入賞口にパチンコ玉が入賞する毎に実行される転落抽選動作に当選したときに、遊技者に報知することなく前記確率変動状態を終了する遊技機に対応して設けられる遊技データ表示装置において、
前記大当たり終了後から現在時点までの期間における前記転落抽選動作の実行回数と当該転落抽選動作の当選確率に基づいて、現在時点において前記確率変動状態が継続している割合または終了している割合を示す確率データを算出する演算手段と、
前記大当たり終了後から現在時点までの期間における大当たり抽選動作の実行回数が予め定められた回数になるまでは、この演算手段により算出された確率データを確率変動状態が継続しているか否かに関わらず遊技者向けに表示する表示制御手段と、
を備えたことを特徴とする遊技データ表示装置。
【請求項２】
前記表示制御手段は、前記大当たり発生時に前記遊技機が前記確率変動状態にあったか否かを判定し、遊技機が確率変動状態にある期間に発生した大当たりの回数と、遊技機が確率変動状態にない通常期間に発生した大当たりの回数とを区別した状態で表示することを特徴とする請求項１記載の遊技データ表示装置。
【請求項３】
前記表示制御手段は、前記遊技機で前記確率変動状態が実際に継続している旨を、前記大当たり終了後から現在時点までの期間における前記大当たり抽選の回数が予め決められた回数になったタイミングにおいて予め決められた確率で遊技者向けに表示する制御を実行することを特徴とする請求項１または２記載の遊技データ表示装置。
【請求項４】
前記遊技機は、所定の入賞口にパチンコ玉が入賞する毎に前記大当たり抽選動作及び前記転落抽選動作を実行し、前記確率変動状態において大当たりが発生したときは当該確率変動状態を終了するように構成され、
前記演算手段は、現在時点における前記確率データを以下の式に基づいて算出することを特徴とする請求項１ないし３のいずれかに記載の遊技データ表示装置。
ＫＰ＝｛（１−Ａ）×（１−Ｂ）｝N×１００（％）
但し、ＫＰ＝確率データ
Ａ＝前記転落抽選動作の当選確率
Ｂ＝前記大当たり抽選動作の当選確率
Ｎ＝前記大当たり終了後から現在時点までの期間における前記転落抽選の実行回数、前記大当たり終了後から現在時点までの期間における前記大当たり抽選動作の実行回数。
【発明の詳細な説明】
【技術分野】
【０００１】
本発明は、遊技機に係る遊技データを表示するための遊技データ表示装置に関する。
【背景技術】
【０００２】
近年のパチンコ遊技機は、スタート入賞口への入賞に応じて行われる大当たり抽選動作に当選したときに大当たりが発生する機種が大多数を占めている。また、この種のパチンコ遊技機は、確変機能（大当たり抽選動作の当たり確率を通常時より高めた確率変動状態を発生する機能）を備えているのが通常であり、特許文献１に見られるような、大当たりが発生するまで確変が継続する第１のタイプと、特許文献２に見られるような、スタート回数（大当たり抽選動作の回数）が一定値に達するまで確変が継続する第２のタイプ、とに大別することができる。
【特許文献１】特開２００３−１６４５８７号公報
【特許文献２】特開２００４−１２９９１６号公報
【発明の開示】
【発明が解決しようとする課題】
【０００３】
第１のタイプのパチンコ遊技機では、次の大当たりが発生するまで必ず確変が継続されることになるため、その間は遊技者側が安心して緊張感を失ってしまい、遊技に対する興趣の低下を招くという問題点がある。また、第２のタイプのパチンコ遊技機では、確変状態が大当たりの発生を見ることなく終了するケースがあるため、確変期間中においてスリル感が高まることになるなど、遊技に対する興趣向上を期待できる。しかし、確変状態が成果なく終わってしまったときには遊技者側の落胆が大きくなり、この面で遊技に対する興醒めを招く可能性がある。
【０００４】
これに対して、近年では、大当たりの終了後から確変状態へ例えば無条件で移行し、所定のタイミング毎、例えば、大当たり抽選動作の実行毎（スタート毎）に行われる転落抽選動作に当選したときに、遊技者に報知することなく確変状態を終了するという新規タイプのパチンコ遊技機（所謂サイレント確変機）が考えられている。このようなパチンコ遊技機での遊技者は、大当たり終了後の確変状態にある期間において、確変状態が実際に継続しているのか否かの判断を想像に頼って行なわざるを得ないため、大当たり発生への期待感と確変状態の終了へのスリル感とが相俟って遊技に対する興趣が向上するという利点がある。
【０００５】
しかしながら、この種のパチンコ遊技機での遊技者は、遊技の終了タイミングの判断が難しくなるという新たな問題点を抱え込むことになる。即ち、遊技者側では、パチンコ遊技機での大当たりの終了に伴い確変が発生していることを確実に認識できるが、その後の遊技時には、確変が継続しているか否かの判断基準が全くないため、遊技を終了しようとする時点で大いに迷うという問題点が発生することになり、このような情況は、遊技者へのサービス向上という観点からあまり望ましいものではないという事情があった。
【０００６】
本発明は、上記事情に鑑みてなされたものであり、その目的は、大当たりの終了後から遊技者側に有利な確率変動状態を発生すると共に、遊技に伴い行われる転落抽選動作に当選したときに、そのことを報知することなく前記確率変動状態を終了する遊技機での遊技者に対して、当該確率変動状態の継続の有無を判断するために有益な情報を提示できるなどの効果を奏する遊技データ表示装置を実現することにある。
【課題を解決するための手段】
【０００７】
請求項１記載の遊技データ表示装置によれば、遊技機においては、所定の入賞口にパチンコ玉が入賞する毎に実行される大当たり抽選動作に当選したときに大当たりが発生し、この大当たりが終了した後に、大当たり抽選動作の当選確率を高めた確率変動状態を発生し、この確率変動状態を、所定の入賞口にパチンコ玉が入賞する毎に実行される転落抽選動作に当選したときに遊技者に報知することなく終了させる。このような遊技機において確率変動状態が発生した場合には、演算手段が、大当たり終了後から現在時点までの期間における転落抽選動作の実行回数と当該転落抽選動作の当選確率に基づいて、現在時点において確率変動状態が継続している割合または終了している割合を示す確率データを算出するようになり、表示制御手段が、このように算出された確率データを、大当たり終了後から現在時点までの期間における大当たり抽選動作の実行回数が予め定められた回数になるまでは、確率変動状態が継続しているか否かに関わらず遊技者向けに表示するようになる。このような表示により、遊技者に対して、確率変動状態の継続の有無を判断するための目安として有益な情報である確率データを提示できることになる。
【０００８】
つまり、遊技者側では、上記のように表示された確率データを目安にすることにより、例えば、遊技の終了タイミングの判断をある程度的確に行い得るようになるなど、遊技者側にとっての利便性及び有益性が高くなる。但し、表示された確率データは、あくまでも確率であって、確率変動状態の継続の有無を遊技者側で正確に判断できる情報ではないから、遊技機本来の遊技性を阻害するものではなく、むしろ遊技性を助長するように機能することになり、この面からも有益になる。
【００１０】
請求項２記載の遊技データ表示装置によれば、遊技機が確率変動状態にある期間に発生した大当たりの回数と、遊技機が確率変動状態にない通常期間に発生した大当たりの回数とが、互いに区別した状態で表示されるようになるから、確率変動状態の有効性を遊技者に認識させる上で有益になると共に、遊技機の特性を把握する上でも有益になる。
【００１１】
請求項３記載の遊技データ表示装置によれば、大当たり終了後から現在時点までの期間における大当たり抽選の回数が予め決められた回数になったタイミングにおいて予め決められた確率で遊技機で前記確率変動状態が実際に継続している旨が遊技者向けに表示されるから、遊技者側の遊技に対する興趣を高めた状態を継続させる上で有益になる。
請求項４記載の遊技データ表示装置によれば、遊技機においては、確率変動状態において大当たりが発生したときにも当該確率変動状態を終了させ、演算手段は、現在時点における確率データを以下の式に基づいて算出する。
ＫＰ＝｛（１−Ａ）×（１−Ｂ）｝Ｎ×１００（％）
但し、ＫＰ＝確率データ
Ａ＝前記転落抽選動作の当選確率
Ｂ＝前記大当たり抽選動作の当選確率
Ｎ＝前記大当たり終了後から現在時点までの期間における前記転落抽選の実行回数、前記大当たり終了後から現在時点までの期間における前記大当たり抽選動作の実行回数。
【発明を実施するための最良の形態】
【００１２】
以下、本発明の一実施例について図面を参照しながら説明する。
図１には、遊技データの表示対象となるパチンコ遊技機１及び呼出ランプユニット２（遊技データ表示装置に相当）の正面外観が概略的に示されている。この図１において、パチンコ遊技機１は、その上皿３内のパチンコ玉を電動式の発射装置（操作ダイヤルのみ符号３ａを付して示す）により盤面４へ発射する構成となっている。盤面４には、アウト口５、電動チューリップ６ａを備えたスタート入賞口６、賞球の払出しを行わないスルー入賞口７、アタッカーと呼ばれる電動役物８ａを備えた大入賞口８、図柄表示装置９が設けられていると共に、通常入賞口（図示せず）も設けられている。
【００１３】
上記図柄表示装置９は、例えばバックライト付きのカラー液晶表示パネルにより構成されたもので、図２に概略的に示すように、特別図柄表示部９ａ、保留玉数表示部９ｂ、普通図柄表示部９ｃを備えている。
【００１４】
上記のように構成されたパチンコ遊技機１の基本動作は以下の通りである。
（１）スタート入賞口６へのパチンコ玉の入賞（本発明でいう始動条件の成立に相当）に応じて所定の大当たり確率（例えば、通常状態時において１／３００、後述する確変状態時において１／６０）の大当たり抽選動作を実行すると共に、当該パチンコ玉の入賞数を、大当たり抽選動作の抽選結果（「大当たり」または「ハズレ」）が付随した状態の保留玉データとして一時的に記憶する。
【００１５】
（２）上記記憶動作は、例えばＦＩＦＯ形式（先入れ先出し形式）で行われるものであり、記憶された保留玉データは、付随した抽選結果の表示動作が特別図柄表示部９ａにおいて実行される毎に消化される。この抽選結果の表示動作は、パチンコ遊技機１において大当たりが発生していない期間、並びに特別図柄表示部９ａが動作停止している期間には直ちに実行され、また、当該大当たりが発生している期間や特別図柄表示部９ａが動作中の期間には、その大当たりの終了或いは特別図柄表示部９ａの動作停止を待って実行される。この場合、特別図柄表示部９ａは、図柄表示装置９の中央に表示される例えば３桁の数字列より成るルーレットにより構成されたもので（図２参照）、抽選結果の表示動作時には、当該ルーレットの図柄変動演出動作（本実施例の場合、数字列の各桁の「０」〜「９」の範囲での変動表示）を所定期間だけ行うと共に、抽選結果が「大当たり」であったときにはその図柄変動演出動作の終了時点で数字列が「１１１」、「２２２」、…のようなぞろ目図柄（大当たり図柄）となるように制御され、抽選結果が「ハズレ」であったときには、ぞろ目図柄以外のハズレ図柄をランダムに表示するように制御される。
【００１６】
（３）特別図柄表示部９ａにぞろ目図柄が表示されたときには、大入賞口８の電動役物８ａ（アタッカー）を予め決められたモードにて所定期間（複数ラウンド）だけ開放する制御を行い、以て当該大入賞口８への入賞率を極端に高めた大当たりを発生させる。
【００１７】
（４）保留玉データの最大記憶数、つまり未消化の保留玉数の上限値は、例えば４個分に限定される構成となっており、その保留玉数は、保留玉数表示部９ｂにおいて周知の形態で表示される。
【００１８】
（５）スルー入賞口７へのパチンコ玉の入賞に応じて所定の当たり確率（例えば１／１０）の補助抽選動作を実行し、その補助抽選動作の結果を普通図柄表示部９ｃで表示する。尚、普通図柄表示部９ｃは、図柄表示装置９の右下部に表示される例えば２桁の数字列より成るルーレットにより構成されたもので、抽選結果の表示動作時には、当該ルーレットの図柄変動演出動作（本実施例の場合、数字列の各桁の「０」〜「９」の範囲での変動表示）を所定期間だけ行うと共に、補助抽選動作の結果が当たりであったときにはその図柄変動演出動作の終了時点で数字列が「１１」、「２２」、…のようなぞろ目図柄（当たり図柄）となるように制御される。
【００１９】
（６）普通図柄表示部９ｃにぞろ目図柄が表示された状態では、電動チューリップ６ａを所定時間（例えば、通常状態時において０．５秒、後述の時短状態時において５秒）だけ開放させる制御を行う。
【００２０】
（７）前記大当たりが終了したときには、大当たり抽選動作の当たり確率を、通常状態時の１／３００から１／６０に高めた確率変動状態（以下、確変と呼ぶ）と、普通図柄表示部９ｃによる表示動作の所要時間を、通常状態時の３０秒から５秒に短縮した変動時間短縮状態（以下、時短と呼ぶ）とを同時に発生させる。尚、この時短状態では、前述したように、電動チューリップ６ａの開放時間を通常状態時の０．５秒から５秒に延長する制御も行われる。
【００２１】
（８）確変が発生した期間には、スタート入賞口６へパチンコ玉が入賞する毎に所定の当たり確率（例えば、１／６０）の確変転落抽選動作を実行し、この抽選に当選したときに確変を終了し、また、大当たりが再発生したときにも確変を終了する。尚、上記確変転落抽選動作に当選したこと、つまり確変が終了したことは、図柄表示装置９などに表示されない構成（パチンコ遊技機１が所謂サイレント確変機とされた構成）となっており、従って遊技者では確変が終了したことを直接的に判別できない。
【００２２】
（９）時短が発生した期間には、特別図柄表示部９ａでの図柄変動演出動作の実行回数、つまり、大当たり抽選動作の実行回数（以下、これをスタート数と呼ぶ）が大当たり終了後に予め設定された規定回数（例えば３０回）に達したときに時短を終了し、また大当たりが再発生したときにも時短を終了する。尚、時短の発生状態を報知する機能は適宜に設ければ良いものであり、仮に、このような報知が行われない場合であっても、時短の終了に伴い普通図柄表示部９ｃによる表示動作の所要時間及び電動チューリップ６ａの開放時間が通常状態に戻されることになるから、遊技者では、上記のような各時間の変化に基づいて時短が終了したことを間接的に判別できる。
【００２３】
以上のような基本動作が設定されたパチンコ遊技機１においては、大当たりが一旦発生したときには、その大当たりの終了後において確変と時短が同時に発生することになる。この場合、時短は一定期間が経過したとき（大当たり後のスタート数が３０回に達したとき）に必ず終了するが、確変の終了時期は確変転落抽選動作の結果に依存して決まるため、それら確変及び時短の各継続期間が一致しなくなる。
【００２４】
つまり、パチンコ遊技機１においては、大当たりが終了した後には、
（Ａ）確変及び時短が同時に発生した確変／時短遊技状態を呈した期間、
が出現し、この期間中に大当たりが再発生しなかった場合には、
（Ｂ）確変のみが発生した確変単独遊技状態を呈した期間、
（Ｃ）時短のみが発生した時短単独遊技状態を呈した期間、
の何れかが出現し、これら各期間中に大当たりが再発生しなかった場合には、
（Ｄ）確変及び時短が双方ともに発生していない通常遊技状態（所謂ベース状態）を呈した期間（通常期間に相当）、
が出現することになる。但し、確率的には非常に低いが、確変及び時短がほとんど同じ時期に終了する可能性があり、このような場合には確変／時短遊技状態（Ａ）の後に、確変単独遊技状態（Ｂ）或いは時短単独遊技状態（Ｃ）が実質的に出現せず、通常遊技状態（Ｄ）がいきなり出現することになる。
【００２５】
また、図示しないが、パチンコ遊技機１には、発生したアウト玉数を示すアウト信号、発生したセーフ玉数を示すセーフ信号、特別図柄表示部９ａが動作開始されたことを示すスタート信号、大当たりが発生したことを示す大当たり信号、確変が発生したことを示す確変信号などを出力するための信号発生基板が設けられており、この信号発生基板は、大当たり期間に大当たり信号を継続的に出力し、確変期間（確変／時短遊技状態（Ａ）、確変単独遊技状態（Ｂ）にある各期間）に確変信号を継続的に出力する構成となっている。
【００２６】
図１において、パチンコ遊技機１の上方に設けられた前記呼出ランプユニット２は、図３に符号を付して示すように、３段に配置された表示ランプ２ａ、２ｂ、２ｃ、中央部に配置された例えばバックライト付きのカラー液晶パネルより成るデータ表示器２ｄ、このデータ表示器２ｄによる表示内容を切換えるためのデータ切換ボタン２ｅ、呼出ボタン２ｆなどを備えた周知構成のもので、呼出ボタン２ｆの操作に伴う呼び出し状態の表示機能、対応するパチンコ遊技機１での遊技データ（遊技者向けの遊技データ）を表示する機能、後述のようなデータ入出力インタフェース機能などを備えた形態となっている。
【００２７】
特に、呼出ランプユニット２にあっては、対応するパチンコ遊技機１が大当たりにある期間には、表示ランプ２ａ〜２ｃをサイクリックに点滅させるという表示動作を行い、パチンコ遊技機１が時短状態（確変／時短遊技状態にあるとき並びに時短単独遊技状態）にあることを表示ランプ２ｂ、２ｃを交互に点滅させて表示する構成となっている。尚、呼出ランプユニット２は、対応するパチンコ遊技機１が確変単独遊技状態にある旨の表示動作を行わない構成となっている。
【００２８】
図４には、遊技場用システムの概略的構成が示されている。この図４において、多数台ずつ設置されたパチンコ遊技機１及び台間玉貸機１０は、互いの間で信号の授受を、それらの上方に設けられている呼出ランプユニット２に設定されたデータ入出力インタフェース機能により行い得るように構成されている。また、パチンコ遊技機１及び台間玉貸機１０は、ＬＡＮ１１を介した管理装置１２と信号の授受を、呼出ランプユニット２に設定されたデータ入出力インタフェース機能により実行可能に構成されている。この場合、パチンコ遊技機１から出力される前記アウト信号、セーフ信号、スタート信号、大当たり信号、確変信号などは、呼出ランプユニット２及びＬＡＮ１１を介して管理装置１２に与えられることになる。
【００２９】
台間玉貸機１０は、例えば、プリペイドカード挿入口１０ａに図示しないプリペイドカードが挿入された状態で当該プリペイドカードに記憶された残高金額データの範囲内でパチンコ玉を放出（貸出）するＣＲ機（カードリーダ機）としての機能を備えたものである。この場合、各台間玉貸機１０から管理装置１２へは、プリペイドカードによる売上を示す売上信号などが出力される。
【００３０】
管理装置１２は、パチンコ遊技機１及び台間玉貸機１０から出力される種々の信号（アウト信号、セーフ信号、スタート信号、大当たり信号、確変信号、売上信号など）に基づいて、パチンコ遊技機１についての稼動データ（アウト玉数、セーフ玉数、差玉数、稼動率、出玉率、ベース、スタート数など）、並びに台間玉貸機１０についての貸出高データ（売上金額、割数など）を集計して格納するという周知のデータ集計機能を備えた構成となっている。
【００３１】
尚、管理装置１２は、パチンコ遊技機１からの大当たり信号、確変信号、スタート信号の入力状態に基づいて、当該パチンコ遊技機１が前述した確変／時短遊技状態、確変単独遊技状態、時短単独遊技状態、通常遊技状態の何れの状態にあるかを識別し、その識別結果及びパチンコ遊技機１からのアウト信号、セーフ信号、スタート信号などに基づいて、各パチンコ遊技機１に係る稼動データを個別に集計する構成となっている。
【００３２】
図５には、呼出ランプユニット２の電気的構成が機能ブロックの組み合わせにより示されている。この図５において、制御部１３（演算手段、表示制御手段に相当）は、ＣＰＵ１４、制御プログラムを記憶したＲＯＭ１５及びワーキングエリア用のＲＡＭ１６などと共にマイクロコンピュータを構成するもので、この制御部１３は、パチンコ遊技機１からの出力信号（アウト信号、セーフ信号、スタート信号、大当たり信号、確変信号など）を、送受信部１７を通じて受信すると共に、管理装置１２との間での信号及びデータの授受を、当該送受信部１７を通じて行うようになっている。制御部１３には、上記のようなパチンコ遊技機１及び管理装置１２からの出力信号、前記データ切換ボタン２ｅ及び呼出ボタン２ｆの押圧操作に応じてオンされる操作スイッチ群１８からの操作信号が入力される構成となっている。制御部１３は、予め記憶した制御プログラムに基づいて、表示ランプ２ａ〜２ｃの点灯制御及びデータ表示器２ｄでのデータ表示制御を後述のように行うと共に、前記送受信部１７を通じた管理装置１２への信号送信制御を行う構成となっている。
【００３３】
図６〜図９には、制御部１３による制御内容のうち本発明の要旨に関係した部分が示され、図１０には、データ表示器２ｄでの遊技者向けデータの表示例が示されており、以下これらについて説明する。
【００３４】
まず、データ表示器２ｄで表示する遊技データの例について図１０を参照して説明する。
即ち、図１０は、データ表示器２ｄに常時において表示される通常時データ画面を示すものであり、具体的には、通常時データ画面には、以下（１）〜（７）のような表示エリアが設定される。
【００３５】
（１）スタート数表示エリアａ：「スタート」、「只今」及び「累計」の文字が表示されると共に、「只今」の文字と対応付けた状態で、前回の大当たりの終了時点から現在時点までのスタート数（以下、必要に応じて只今スタート数とも呼ぶ）が大当たり間スタート数として表示され、「累計」の文字と対応付けた状態で、当日の累計スタート数がデジタル表示される。但し、只今スタート数は、大当たりが未発生の時点では当日の営業開始時点から現在時点までのスタート数に相当する。また、この只今スタート数は、大当たり発生中はカウントされず、その大当たり終了時に初期値（＝０）にリセットされる。
【００３６】
（２）当日大当たり回数表示エリアｂ：「本日」の文字及びこれに対応した「大当」、「大当ｗ」、「大当ｋ」、「大当ｊ」の各文字が表示されると共に、「大当」の文字と対応付けた状態で、当日における大当たり発生回数の累計値がデジタル表示され、「大当ｗ」、「大当ｋ」、「大当ｊ」の各文字にそれぞれ対応付けた状態で、当日における確変／時短遊技状態、確変単独遊技状態、時短単独遊技状態での各大当たり発生回数の累計値がデジタル表示される。
【００３７】
（３）前日大当たり回数表示エリアｃ：「前日」の文字及びこれに対応した「大当」の文字が表示されると共に、「大当」の文字と対応付けた状態で、前日（前の営業日）における大当たり発生回数の累計値がデジタル表示される。
【００３８】
（４）最高記録表示エリアｄ：「過去最高」の文字が表示されると共に、その文字と対応付けた状態で過去の営業日において記録された大当たり発生回数の最高値がデジタル表示される。
【００３９】
（５）スタート回数履歴表示エリアｅ：最左方の領域に、前回の大当たり終了時点（大当たり未発生の状態では当日の営業開始時点）から現在時点までの期間における大当たり間スタート数（つまり、只今スタート数）が、１目盛により１〜１００回を示すデータセットから成る縦棒グラフによって表示される。また、その棒グラフの右方領域に、過去１０回分の大当たり間スタート数についての履歴データが、１目盛により１〜１００回を示すデータセットから成る縦棒グラフによって表示される。
【００４０】
この場合、各棒グラフの表示可能なデータセット数は７セット（つまり、表示可能なスタート数は７００回（１００×７））であるため、表示対象の大当たり間スタート数が７００回を超えた場合には、当該超過部分の表示は行われない。尚、超過部分がある場合には、当該超過部分がある棒グラフについて、所定のデータセットを点滅表示させる制御（例えば、全部のデータセットを点滅させる制御、或いは全部のデータセットを点灯させた状態で、表示大当たり間スタート数が「７０１〜８００」のときに１セット目だけを点滅させ、表示スタート数が「８０１〜９００」のときに１セット目及び２セットだけを点滅させるというような制御）や、表示色を変更する制御（例えば、全部のデータセットを他と異なる特定の色で表示する制御、或いは全部のデータセットを他と異なる特定の色で表示させた状態で、表示大当たり間スタート数が「７０１〜８００」のときに１セット目だけを点滅或いは上記特定色と異なる色で表示させ、表示大当たり間スタート数が「８０１〜９００」のときに１セット目及び２セットだけを点滅させ或いは上記特定色と異なる色で表示させるというような制御）を行うことにより、その旨を表示する構成としても良い。
【００４１】
（６）種別表示エリアｆ：スタート回数履歴表示エリアｅの各棒グラフのうち、最左方の棒グラフと対応付けた状態で、その棒グラフが現在時点での大当たり間スタート数（只今スタート数）であることを示す「只今」の文字が表示される。また、他の棒グラフと対応付けた状態で、当該棒グラフに対応した大当たりが初当たり（パチンコ遊技機１が通常状態にある期間における大当たり）以外であった場合に、その大当たりが発生したときのパチンコ遊技機１の状態（確変／時短遊技状態、確変単独遊技状態、時短単独遊技状態の何れか）を示す記号が表示される。具体的には、「★」→確変／時短遊技状態、「◆」→確変単独遊技状態、「■」→時短単独遊技状態を示す。
【００４２】
（７）確変継続確率表示エリアｇ：確変継続確率ＫＰ（大当たり終了後の遊技状態において、その大当たり終了に伴い発生した確変状態が継続している確率を示すもので、大当たり終了後の只今スタート数Ｎ（Ｎは正の整数）に基づいて算出される：本発明でいう確率データに相当）を示す横棒グラフ状の確変継続インジケータが表示される。この確変継続インジケータは、１個が１０％を示す単位バーを１０個並べたものであり、単位バーの点灯個数により確変継続確率ＫＰが１０％刻みで表示される。この場合、上記確変継続確率ＫＰは、「只今スタート数がＮになるまでに大当たりが発生しない確率」と「只今スタート数がＮになるまでに転落抽選動作により確変が終了しない確率」に基づいて算出するされるものであり、本実施例の場合、確変状態時の大当たり確率及び転落抽選動作の当たり確率が何れも１／６０であるから、次式にて算出される。
【００４３】
ＫＰ＝｛（１−１／６０）×（１−１／６０）｝Ｎ×１００    （％）
つまり、例えば、Ｎ＝１の場合にはＫＰ≒９６．７％（確変継続インジケータの単位バーが１０個点灯）、Ｎ＝１０の場合にはＫＰ≒７１．５％（単位バーが８個点灯）、Ｎ＝３０の場合にはＫＰ≒３６．５％（単位バーが４個点灯）、Ｎ＝９９の場合にはＫＰ≒３．６％（単位バーが１個点灯）というような値になるものである。尚、Ｎ≧１００の場合（ＫＰが、Ｎ＝９９での算出値（≒３．６％）より小さい場合）には、確変継続インジケータの単位バーは全消灯状態とされるものである。
【００４４】
次に、制御部１３による制御内容について説明する。即ち、図６に示すように、制御部１３は、スタート信号入力時処理ルーチンＲ１、大当たり信号入力時処理ルーチンＲ２、転落スタート記憶処理ルーチンＲ３から成るメインプログラムを反復実行する構成となっている。
【００４５】
図７には、スタート信号入力時処理ルーチンＲ１の内容が示されている。このルーチンＲ１では、スタート信号の入力の有無を判断し（ステップＡ１）、非入力状態ではそのままリターンする。これに対して、スタート信号が入力されたときには、通常時データ画面（図１０参照）のスタート数表示エリアａに表示中の只今スタート数（大当たり間スタート数）及び累計スタート数を「１」ずつインクリメントする（ステップＡ２）。
【００４６】
このインクリメント後には、只今スタート数が表示切換値（＝ｎ×１００＋１、但しｎは１〜６の範囲の整数）に達したか否かを判断する（ステップＡ３）。ここで「ＹＥＳ」と判断した場合、つまり、只今スタート数が「１０１」、「２０１」、「３０１」、「４０１」、「５０１」、「６０１」の何れかに達した場合には、通常時データ画面のスタート回数履歴表示エリアｅに表示中の只今スタート回数の棒グラフを１データセットだけインクリメントし（ステップＡ４）、この後に判断ステップＡ５へ移行する。また、ステップＡ３で「ＮＯ」と判断したときには、ステップＡ４をジャンプしてステップＡ５へ移行する。
【００４７】
ステップＡ５では、当日の大当たり回数が零であるか否かを判断するものであり、零であった場合（大当たりが未発生であった場合）には、そのままリターンする。これに対して、当日の大当たり回数が１以上あった場合には、通常時データ画面のスタート数表示エリアａに表示中の只今スタート数が「１００」未満であるか否かを判断する（ステップＡ６）。
【００４８】
ここで、前述したように、只今スタート数が「９９」の状態では前記確変継続確率ＫＰが約３．６％であるから、ステップＡ６で「ＹＥＳ」と判断される状態は、前記確変継続確率ＫＰが約３．６％以上ある状態に相当するものであり、このような状態にあった場合には、確変継続確率ＫＰを再計算する（ステップＡ７）。
【００４９】
この後には、再計算された確変継続確率ＫＰが、確変継続確率表示エリアｇに表示中の確変継続インジケータの更新を伴う値であった場合、つまり、当該確変継続確率ＫＰが１０％刻みの値を新たに超えて低下した場合のみ、当該インジケータを更新するステップＡ８を実行した後にリターンする。
【００５０】
一方、前記ステップＡ６で「ＮＯ」と判断した場合（確変継続確率ＫＰが約３．６％未満であった場合）には、只今スタート数が「１００」であるか否かを判断し（ステップＡ９）、「ＹＥＳ」と判断した場合には、確変信号の入力の有無を判断する（ステップＡ１０）。確変信号が入力されている場合（パチンコ遊技機１で確変が継続されている場合）には、確変継続インジケータを全点灯状態（１００％表示状態）に切換えるステップＡ１１を実行した後にリターンするが、確変信号の非入力状態では確変継続インジケータを全消灯状態に切換えるステップＡ１２を実行した後にリターンする。
【００５１】
この場合、ステップＡ９で「ＹＥＳ」と判断される直前の状態、つまり只今スタート数が「９９」の状態では、確変継続確率ＫＰが約３．６％であって、確変継続インジケータが１０％表示状態を呈していることになるが、只今スタート数が「１００」になったタイミングにおいて確変信号が入力状態にあった場合には、当該確変継続インジケータが１００％表示状態へ切換えられ、確変信号が非入力状態にあった場合には、確変継続インジケータが０％表示状態へ切換えられるものであり、このような表示に基づいて、対応するパチンコ遊技機１において確変状態が現実に継続しているか否かが報知されることになる。
【００５２】
前記ステップＡ９で「ＮＯ」と判断した場合（只今スタート数が「１０１」以上の場合）には、確変継続インジケータが全点灯しているか否か、つまり前記ステップＡ１１の実行に伴い確変継続インジケータが１００％表示状態へ切換えられているか否かを判断する（ステップＡ１３）。このステップＡ１３で「ＮＯ」と判断した場合にはそのままリターンするが、「ＹＥＳ」と判断した場合には、確変信号の入力の有無を判断する（ステップＡ１４）。そして、確変信号が入力状態にあった場合にはそのままリターンして、確変継続インジケータの１００％表示状態を維持するが、確変信号が非入力状態にあった場合には、確変継続インジケータを全消灯状態に切換える前記ステップＡ１２を実行した後にリターンする。
【００５３】
図８には、大当たり信号入力時処理ルーチンＲ２の内容が示されている。このルーチンＲ２では、大当たり期間にパチンコ遊技機１から継続的に出力される大当たり信号の入力開始の有無を判断し（ステップＢ１）、入力開始されていない状態ではそのままリターンする。これに対して、大当たり信号が入力開始されたときには、通常時データ画面の当日大当たり回数表示エリアｂの「大当」欄に表示中の大当たり回数を「１」だけインクリメントする（ステップＢ２）。
【００５４】
この後には、対応するパチンコ遊技機１が、確変／時短遊技状態、確変単独遊技状態、時短単独遊技状態にあるか否かを順次判断し（ステップＢ３、Ｂ４、Ｂ５）、これらステップＢ３、Ｂ４、Ｂ５の全てで「ＮＯ」と判断した場合（パチンコ遊技機１が通常遊技状態にあった場合）には、そのままステップＢ９へ移行する。
【００５５】
これに対して、ステップＢ３で「ＹＥＳ」と判断した場合（パチンコ遊技機１が確変／時短遊技状態にあった場合）には、当日大当たり回数表示エリアｂの「大当ｗ」欄に表示中の大当たり回数を「１」だけインクリメントするステップＢ６を実行した後にステップＢ９へ移行する。また、ステップＢ４で「ＹＥＳ」と判断した場合（パチンコ遊技機１が確変単独遊技状態にあった場合には、当日大当たり回数表示エリアｂの「大当ｋ」欄に表示中の大当たり回数を「１」だけインクリメントするステップＢ７を実行した後にステップＢ９へ移行する。さらに、ステップＢ５で「ＹＥＳ」と判断した場合（パチンコ遊技機１が時短単独遊技状態にあった場合には、当日大当たり回数表示エリアｂの「大当ｊ」欄に表示中の大当たり回数を「１」だけインクリメントするステップＢ８を実行した後にステップＢ９へ移行する。
【００５６】
ステップＢ９では、大当たり信号が入力停止されたか否か（つまり、パチンコ遊技機１での大当たりが終了したか否か）を判断するものであり、「ＹＥＳ」と判断した場合には、スタート履歴更新処理を実行する（ステップＢ１０）。このステップＢ１０では、通常時データ画面のスタート回数履歴表示エリアｅの最右端に表示された最古の大当たり間スタート数を示す棒グラフを消去すると共に、残りの棒グラフ及び最左方の領域に表示された只今スタート数に対応した棒グラフの全体を右側へスライドし、さらに、通常時データ画面の種別表示エリアｆの表示内容を、上記のようにスライドされた棒グラフに対応したものとなるように更新する。
【００５７】
このスタート履歴更新処理の実行後には、通常時データ画面のスタート数表示エリアａに表示されている只今スタート数を初期値（＝０）にリセットするステップＢ１１を実行した後にリターンする。
【００５８】
前記ステップＢ９で「ＮＯ」と判断される状態、つまり、対応するパチンコ遊技機１での大当たりが継続されている状態では、データ切換ボタン２ｅの操作状態を判断し（ステップＢ１２）、非操作状態ではステップＢ９へ戻る。これに対して、データ切換ボタン２ｅが操作された場合には、現在発生中の大当たりが、非確変状態において発生したものであるか否かを判断する（ステップＢ１３）。
【００５９】
このステップＢ１３で「ＮＯ」と判断した場合には、そのままステップＢ９へ戻るが、「ＹＥＳ」と判断した場合には、スタート数表示エリアａに対して、後述する確変転落スタート回数（確変転落抽選に当選するまでのスタート回数）を例えば３秒間だけ表示するステップＢ１４を実行した後にステップＢ９へ戻る。尚、この確変転落スタート回数は、ＲＡＭ１６に設定された記憶エリアに更新記憶されるものである。
【００６０】
図９には、転落スタート記憶処理ルーチンＲ３の内容が示されている。このルーチンＲ３では、対応するパチンコ遊技機１からの確変信号の入力停止の有無を判断（ステップＣ１）、確変信号の入力が継続されている場合にはそのままリターンする。これに対して、確変信号の入力が停止されたとき（つまり、確変転落抽選動作に当選したとき、または大当たりが発生したとき）には、その確変信号の入力停止原因が確変転落抽選動作に起因したものであった場合のみ前記確変転落スタート回数の記憶値をインクリメントするステップＣ２を実行した後にリターンする。
【００６１】
上記した本実施例の構成によれば、以下に述べるような作用・効果を奏することができる。
即ち、パチンコ遊技機１においては、スタート入賞口６へのパチンコ玉の入賞に応じて所定の当たり確率の大当たり抽選動作を実行し、その抽選結果を特別図柄表示部９ａでの図柄変動演出動作により報知すると共に、当該抽選結果が当たりの場合に遊技者側に有利な大当たりが発生するようになる。そして、大当たりが一旦発生したときに、その大当たり終了後に遊技者側に有利な確変及び時短の双方が同時に発生した確変／時短遊技状態を呈し、その確変／時短遊技状態において、スタート入賞口６へパチンコ玉が入賞する毎に行われる確変転落抽選動作に当選したときに確変が終了して時短単独遊技状態を呈し、また、確変／時短遊技状態において、スタート数（特別図柄表示部９ａでの図柄変動演出動作回数）が規定回数（３０回）実行されたときに時短が終了して確変単独遊技状態を呈することになる（上記各状態は、大当たりが再発生したときにも終了される）。つまり、特に、確変期間の終了時期は、確変転落抽選動作の結果に依存して変化することになり、また、確変の終了タイミング及び時短の終了タイミングが自ずと異なるようになるから、大当たり終了後には、確変／時短遊技状態の期間を経た後に、確変単独遊技状態または時短単独遊技状態の何れかの期間を経て通常遊技状態へ戻ることになる。
【００６２】
また、パチンコ遊技機１からは、大当たりにある期間に大当たり信号が出力され、確変にある期間に確変信号が出力され、特別図柄表示部９ａの動作が開始されたときにスタート信号が出力され、これらの信号が、呼出ランプユニット２及び管理装置１２に与えられるようになっており、呼出ランプユニット２及び管理装置１２においては、大当たりの発生及び終了を大当たり信号に基づいて判定できると共に、確変が終了したことを確変信号に基づいて判定できる。
【００６３】
特に、呼出ランプユニット２内の制御部１３においては、パチンコ遊技機１での大当たり終了に応じて確変が発生した場合には、その大当たり終了後から現在時点までの期間における転落抽選動作の実行回数（只今スタート数）と当該転落抽選動作の当選確率（＝１／６０）、並びに大当たり終了後から現在時点までの期間における大当たり抽選動作の実行回数（只今スタート数）と当該大当たり抽選動作の当選確率（＝１／６０）に基づいて、現在時点において確変が継続している割合を示す確変継続確率ＫＰを算出するようになり、このように算出した確変継続確率ＫＰを、データ表示器２ｄの確変継続確率表示エリアｇに横棒グラフ状の確変継続インジケータとして表示するようになる。従って、このような表示により、遊技者に対して、確変の継続の有無を判断するための目安として有益な情報である確変継続確率ＫＰを提示できることになる。
【００６４】
つまり、遊技者側では、上記のように表示された確変継続確率ＫＰを目安にすることにより、例えば、パチンコ遊技機１での遊技の終了タイミングの判断をある程度的確に行い得るようになるなど、遊技者側にとっての利便性及び有益性が高くなる。但し、表示された確変継続確率ＫＰは、あくまでも確率であって、確変の継続の有無を遊技者側で正確に判断できる情報ではないから、パチンコ遊技機１本来の遊技性（確変継続中か否かについて遊技者側に期待感を抱かせることにより遊技継続に対する意欲並びに遊技に係る興趣の向上を期待するという遊技性）を阻害するものではなく、むしろ、その遊技性を助長するように機能することになり、この面からも有益になる。
【００６５】
また、データ表示器２ｄの当日大当たり回数表示エリアｂには、当日においてパチンコ遊技機１が確変／時短遊技状態、確変単独遊技状態、時短単独遊技状態にある各期間に発生した大当たりの回数の累計値と、当日においてパチンコ遊技機１確率変動状態にない通常期間に発生した大当たりの回数の累計値とが、互いに区別した状態で表示されるようになるから、確変の有効性を遊技者に認識させる上で有益になると共に、パチンコ遊技機１の特性を把握する上でも有益になる。
【００６６】
また、予め決められたタイミング、つまり、遊技に伴い只今スタート数が１００回になったタイミングにおいて、パチンコ遊技機１で確変が継続していた場合には、前記確変継続インジケータが１００％表示状態へ切換えられて、確変が実際に継続している旨が遊技者向けに表示されるから、実際に確変が継続しているにも拘らず確変が終了したものと諦めていた遊技者側にインパクトを与えることができ、遊技に対する興趣を高めた状態を継続させる上で有益になる。
【００６７】
尚、データ表示器２ｄの種別表示エリアｆには、過去１０回分の大当たりについて、当該大当たりが発生したときのパチンコ遊技機１の状態（確変／時短遊技状態、確変単独遊技状態、時短単独遊技状態の何れか）を示す記号が表示されるから（通常遊技状態で発生した大当たりについては記号の表示なし）、どのような状況下で大当たりが発生したかを事後確認する上で便利になる。
【００６８】
（その他の実施の形態）
本発明は上記し且つ図面に示した実施例に限定されるものではなく、例えば以下に述べるような変形或いは拡大が可能である。
現在時点において確変が継続している割合を示す確変継続確率ＫＰを確変継続インジケータにより表示する構成としたが、現在時点において確変が終了している割合を示す確率データを演算して表示する構成としても良い。
【００６９】
対応するパチンコ遊技機１で初当たりが発生した期間中にデータ切換ボタン２ｅが操作されたときには、スタート数表示エリアａに対して、確変転落抽選に当選するまでのスタート回数を示す確変転落スタート回数を所定時間だけ表示する制御を行う構成としたが、このような表示制御を、初当たりが発生した後に自動的に行う構成としても良い。
【００７０】
遊技に伴い只今スタート数が１００回になったタイミングにおいて、パチンコ遊技機１で確変が継続していた場合には、確変継続インジケータを１００％表示状態へ切換えることにより、確変が実際に継続している旨を遊技者向けに表示する構成としたが、このような表示切換は、只今スタート数が１００回になったタイミングで必ず行なう必要はなく、例えば、当該タイミングにおいて１／２の確率で表示切換を行う状態が出現する構成であっても良い。
【００７１】
呼出ランプユニット２を遊技データ表示装置として機能させた実施例を説明したが、遊技データ表示装置をパチンコ遊技機１に組み込んで一体的に設ける構成としても良い。このような構成とする場合には、パチンコ遊技機１の図柄表示装置９を遊技データ表示装置として機能させることも可能になる。また、例えば台間玉貸機１０に設けられたデータ表示器、或いはパチンコ遊技機１に対応して別途設けられたデータ表示器をデータ表示装置として機能させる構成としても良い。
【００７２】
パチンコ遊技機１は、大当たりの終了後において確変／時短遊技状態へ必ず移行する構成としたが、大当たり終了後に所定の確率で確変／時短遊技状態へ移行する構成、例えば、特別図柄表示部９ａにおける図柄変動演出動作の終了時点での表示数字列が「１１１」、「３３３」のような奇数列であった場合に、確変／時短遊技状態へ移行する構成（移行する確率は５０％）であっても良い。尚、このような構成とした場合には、遊技者側では、特別図柄表示部９ａの表示結果に基づいて確変に突入したことを認識することができるが、その認識が不能な状態で確変に突入する構成とした場合には、確変へ突入した旨を何らかの手段で遊技者に報知することが必要になる。また、確変／時短遊技状態へ移行する確率は、９０％、８０％、７５％、７０％など種々設定できるものであり、その確率が遊技の進行などに伴い変動する構成としても良い。
【図面の簡単な説明】
【００７３】
【図１】本発明の一実施例を示すパチンコ遊技機及び呼出ランプユニットの正面図
【図２】図柄表示装置の概略的正面図
【図３】呼出ランプユニットの正面図
【図４】遊技場内システムの全体構成図
【図５】呼出ランプユニットの電気的構成を示す機能ブロック
【図６】制御部による制御内容を示すフローチャート（その１）
【図７】制御部による制御内容を示すフローチャート（その２）
【図８】制御部による制御内容を示すフローチャート（その３）
【図９】制御部による制御内容を示すフローチャート（その４）
【図１０】データ表示器での表示例を示す図
【符号の説明】
【００７４】
１はパチンコ遊技機、２は呼出ランプユニット（遊技データ表示装置）、９は図柄表示装置、１０は台間玉貸機、１２は管理装置、１３は制御部（演算手段、表示制御手段）を示す。
【図１】
0005203565.tif 000002
【図２】
0005203565.tif 000003
【図３】
0005203565.tif 000004
【図４】
0005203565.tif 000005
【図５】
0005203565.tif 000006
【図６】
0005203565.tif 000007
【図７】
0005203565.tif 000008
【図８】
0005203565.tif 000009
【図９】
0005203565.tif 000010
【図１０】
0005203565.tif 000011